(57)【要約】【課題】リアルタイムでの要約筆記において、視覚障がい者であっても筆記者として参画できるようにし得る、要約筆記支援システム、配信装置、端末装置、要約筆記支援方法、及びプログラムを提供する。【解決手段】要約筆記支援システム４０は、筆記者端末２０と配信装置１０とを備える。配信装置１０は、筆記者端末２０に対し、その筆記者に割り当てられた割当時間の開始前に開始前通知を送信し、割当時間の開始時に開始通知を送信し、割当時間の終了時に終了通知を送信する、通知送信部１１と、発話の音声データを筆記者端末２０へと配信する音声配信部１２とを備える。筆記者端末２０は、音声データを再生し、開始前通知の受信から開始通知の受信までの間において、再生時の音量を消音状態とする音声再生部２１と、各通知の受信を筆記者４２に音によって知らせる、報知部２２とを備えている。【選択図】図１
2014202981.tif 000002
【特許請求の範囲】
【請求項１】
話者の発話の要約筆記を支援するためのシステムであって、
前記要約筆記を行う筆記者が使用する端末装置と、配信装置とを備え、
前記配信装置は、
前記端末装置に対して、当該端末装置を使用する筆記者に割り当てられた割当時間の開始前に開始前通知を送信し、前記割当時間の開始時に開始通知を送信し、前記割当時間の終了時に終了通知を送信する、通知送信部と、
前記発話の音声データを前記端末装置へと配信する、音声配信部と、
を備え、
前記端末装置は、
配信されてきた前記音声データを再生し、そして、前記開始前通知の受信から前記開始通知の受信までの間において、再生時の音量を消音状態とする、音声再生部と、
前記開始前通知の受信、前記開始通知の受信、及び前記終了通知の受信を前記筆記者に音によって知らせる、報知部と、
を備えている、
ことを特徴とする要約筆記支援システム。
【請求項２】
前記端末装置において、前記音声再生部が、前記終了通知の受信から一定時間が経過するまでの間において、更に、再生音量を消音状態とし、
前記端末装置が、前記開始通知の受信後に入力されたテキストデータを、前記終了通知の受信から一定時間が経過するまでの間において、合成音声によって読み上げる、テキスト読上部を、更に備えている、請求項１に記載の要約筆記支援システム。
【請求項３】
前記配信装置が、
前記発話の音声から無音区間を特定する、音声解析部と、
前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、割当制御部と、
を更に備えている、
請求項１または２に記載の要約筆記支援システム。
【請求項４】
前記割当制御部が、前記割当時間毎に、当該割当時間についての前記開始前通知の送信タイミングを、当該割当時間の前の割当時間の終点を基準に、設定時間遡った時点に設定する、
請求項１〜３のいずれかに記載の要約筆記支援システム。
【請求項５】
話者の発話の要約筆記を行う筆記者が使用する端末装置に、前記発話の音声データを送信するための装置であって、
前記端末装置に対して、当該端末装置を使用する筆記者に割り当てられた割当時間の開始前に開始前通知を送信し、前記割当時間の開始時に開始通知を送信し、前記割当時間の終了時に終了通知を送信する、通知送信部と、
前記発話の音声データを前記端末装置へと配信する、音声配信部と、
を備えている、ことを特徴とする配信装置。
【請求項６】
話者の発話の要約筆記を行う筆記者が使用する端末装置であって、
前記発話の音声データを当該端末装置に配信する配信装置から、前記筆記者に割り当てられた割当時間の開始前に開始前通知が送信され、前記割当時間の開始時に開始通知が送信され、前記割当時間の終了時に終了通知が送信される場合に、
配信されてきた前記音声データを再生し、そして、前記開始前通知の受信から前記開始通知の受信までの間において、再生音量を消音状態とする、音声再生部と、
前記開始前通知の受信、前記開始通知の受信、及び前記終了通知の受信を前記筆記者に知らせる、報知部と、
を備えている、ことを特徴とする端末装置。
【請求項７】
話者の発話の要約筆記を支援するための方法であって、
（ａ）配信装置によって、要約筆記を行う筆記者が使用する端末装置に対して、当該端末装置を使用する筆記者に割り当てられた割当時間の開始前に開始前通知を送信し、前記割当時間の開始時に開始通知を送信し、前記割当時間の終了時に終了通知を送信する、ステップと、
（ｂ）前記配信装置によって、前記発話の音声データを前記端末装置へと配信する、ステップと、
（ｃ）前記端末装置によって、配信されてきた前記音声データを再生し、そして、前記開始前通知の受信から前記開始通知の受信までの間において、再生時の音量を消音状態とする、ステップと、
（ｄ）前記端末装置によって、前記開始前通知の受信、前記開始通知の受信、及び前記終了通知の受信を前記筆記者に音によって知らせる、ステップと、
を有する、
ことを特徴とする要約筆記支援方法。
【請求項８】
話者の発話の要約筆記を行う筆記者が使用する端末装置に、コンピュータによって、前記発話の音声データを送信するためのプログラムであって、
前記コンピュータに、
（ａ）前記端末装置に対して、当該端末装置を使用する筆記者に割り当てられた割当時間の開始前に開始前通知を送信し、前記割当時間の開始時に開始通知を送信し、前記割当時間の終了時に終了通知を送信する、ステップと、
（ｂ）前記発話の音声データを前記端末装置へと配信する、ステップと、
を実行させるプログラム。
【請求項９】
話者の発話の要約筆記を行う筆記者が使用するコンピュータに、
（ａ）前記発話の音声データを前記コンピュータに配信する配信装置から、前記筆記者に割り当てられた割当時間の開始前に開始前通知が送信され、前記割当時間の開始時に開始通知が送信され、前記割当時間の終了時に終了通知が送信される場合に、
配信されてきた前記音声データを再生し、前記開始前通知の受信から前記開始通知の受信までの間において、再生音量を消音状態とする、ステップと、
（ｂ）前記開始前通知の受信、前記開始通知の受信、及び前記終了通知の受信を前記筆記者に知らせる、ステップと、
を実行させるプログラム。
【発明の詳細な説明】
【技術分野】
【０００１】
本発明は、話者の発話の要約筆記を支援するための、要約筆記支援システム、配信装置、端末装置、要約筆記支援方法、及びこれらを実現するためのプログラムに関する。
【背景技術】
【０００２】
両耳の聴力がマイナス１００デシベル以上の聴覚障がい者（以下、単に「聴覚障がい者」と記す）は、補聴器等を付けても、ほとんど音声中の言語情報を受けとることができない。このため従来から、聴覚障がい者が講演及び学校での授業等を聴講する場合、手話通訳者を付ける場合と、要約筆記通訳者を付ける場合とがあった。
【０００３】
このうち、要約筆記通訳者を付ける場合には、通常、聴覚障がい者１人に対して、例えば学校での授業であれば、要約筆記通訳者が２人以上付けられる。そして、これらの要約筆記者は、先生の話す内容などを、ＰＣ（Personal Computer）又は紙のノート等によって文字化し、これを聴覚障がい者に対して提示する。なお、要約筆記通訳者が２人以上必要となるのは、要約筆記作業は負担が大きく、１人では要約精度が低下しやすいからである。
【０００４】
ところで、１８歳以下の聴覚障がい学生が平成２０年度の厚生労働省の調べでは全国で約２万人存在し、それに対し、正式に登録されている要約筆記通訳者は全国で約１万人である。その上で、聴覚障がい学生１人に対して２人以上の要約筆記通訳者が付くとすると、支援を受けることが可能な聴覚障がい学生は、単純に計算しても１／４である。さらに、地域によって要約筆記者の数及び聴覚障がい学生の数には、ばらつきがある。これらの理由から、より少ない人数の聴覚障がい学生しか、学校において支援を受けることが出来ないのが現状であり、要約筆記通訳者が不足しているという問題がある。
【０００５】
そこで、要約筆記を行う際に、要約筆記通訳者が、聴覚障がい者の隣席まで行かなくても支援を行なえるようにするシステムが必要となる。例えば、特許文献１及び２に開示されたシステムは、遠隔地にいる要約筆記通訳者の端末装置に、インターネットを介して、話者の音声と映像とを配信する。また、このシステムは、要約筆記通訳者が要約筆記を行なってテキストデータを作成すると、このテキストデータを、インターネットを介して、教室等にいる利用者の端末装置に送信する。このようなシステムによれば、要約筆記通訳者が不足しているという問題の解消に貢献できると考えられる。
【０００６】
また、特許文献１及び２に開示されたシステムを利用して要約筆記を行なう場合は、リアルタイムでの要約筆記が求められるため、数人の要約筆記通訳者が交代しながら入力を行なう手法、又は互いに補完しながら連携して入力を行なう手法が採られている。
【先行技術文献】
【特許文献】
【０００７】
【特許文献１】特開２００２−０６４６３４号公報
【特許文献２】特開２０１２−２１５９６２号公報
【発明の概要】
【発明が解決しようとする課題】
【０００８】
ところで、近年においては、視覚障がい者への就業支援のため、視覚障がい者による要約筆記通訳が試みられている。しかしながら、視覚障がい者が使用する端末装置では、操作案内のため、更に入力内容の確認のために音声が出力されるので、この音声とリアルタイムで流れる話者の音声とがまぎれてしまうことがある。そして、この結果、視覚障がい者においては、要約筆記の準備が間に合わなかったり、話者の内容を理解できなかったりする可能生がある。このため、視覚障がい者であっても、要約筆記通訳者として従事できるシステムの開発が求められている。
【０００９】
本発明の目的の一例は、上記問題を解消し、リアルタイムでの要約筆記において、視覚障がい者であっても筆記者として参画できるようにし得る、要約筆記支援システム、配信装置、端末装置、要約筆記支援方法、及びプログラムを提供することにある。
【課題を解決するための手段】
【００１０】
上記目的を達成するため、本発明の一側面における要約筆記支援システムは、話者の発話の要約筆記を支援するためのシステムであって、
前記要約筆記を行う筆記者が使用する端末装置と、配信装置とを備え、
前記配信装置は、
前記端末装置に対して、当該端末装置を使用する筆記者に割り当てられた割当時間の開始前に開始前通知を送信し、前記割当時間の開始時に開始通知を送信し、前記割当時間の終了時に終了通知を送信する、通知送信部と、
前記発話の音声データを前記端末装置へと配信する、音声配信部と、
を備え、
前記端末装置は、
配信されてきた前記音声データを再生し、そして、前記開始前通知の受信から前記開始通知の受信までの間において、再生時の音量を消音状態とする、音声再生部と、
前記開始前通知の受信、前記開始通知の受信、及び前記終了通知の受信を前記筆記者に音によって知らせる、報知部と、
を備えている、
ことを特徴とする。
【００１１】
上記目的を達成するため、本発明の一側面における配信装置は、話者の発話の要約筆記を行う筆記者が使用する端末装置に、前記発話の音声データを送信するための装置であって、
前記端末装置に対して、当該端末装置を使用する筆記者に割り当てられた割当時間の開始前に開始前通知を送信し、前記割当時間の開始時に開始通知を送信し、前記割当時間の終了時に終了通知を送信する、通知送信部と、
前記発話の音声データを前記端末装置へと配信する、音声配信部と、
を備えている、ことを特徴とする。
【００１２】
上記目的を達成するため、本発明の一側面における端末装置は、話者の発話の要約筆記を行う筆記者が使用する端末装置であって、
前記発話の音声データを当該端末装置に配信する配信装置から、前記筆記者に割り当てられた割当時間の開始前に開始前通知が送信され、前記割当時間の開始時に開始通知が送信され、前記割当時間の終了時に終了通知が送信される場合に、
配信されてきた前記音声データを再生し、そして、前記開始前通知の受信から前記開始通知の受信までの間において、再生音量を消音状態とする、音声再生部と、
前記開始前通知の受信、前記開始通知の受信、及び前記終了通知の受信を前記筆記者に知らせる、報知部と、
を備えている、ことを特徴とする。
【００１３】
また、上記目的を達成するため、本発明の一側面における要約筆記支援方法は、話者の発話の要約筆記を支援するための方法であって、
（ａ）配信装置によって、要約筆記を行う筆記者が使用する端末装置に対して、当該端末装置を使用する筆記者に割り当てられた割当時間の開始前に開始前通知を送信し、前記割当時間の開始時に開始通知を送信し、前記割当時間の終了時に終了通知を送信する、ステップと、
（ｂ）前記配信装置によって、前記発話の音声データを前記端末装置へと配信する、ステップと、
（ｃ）前記端末装置によって、配信されてきた前記音声データを再生し、そして、前記開始前通知の受信から前記開始通知の受信までの間において、再生時の音量を消音状態とする、ステップと、
（ｄ）前記端末装置によって、前記開始前通知の受信、前記開始通知の受信、及び前記終了通知の受信を前記筆記者に音によって知らせる、ステップと、
を有する、
ことを特徴とする。
【００１４】
上記目的を達成するため、本発明の一側面における第１のプログラムは、話者の発話の要約筆記を行う筆記者が使用する端末装置に、コンピュータによって、前記発話の音声データを送信するためのプログラムであって、
前記コンピュータに、
（ａ）前記端末装置に対して、当該端末装置を使用する筆記者に割り当てられた割当時間の開始前に開始前通知を送信し、前記割当時間の開始時に開始通知を送信し、前記割当時間の終了時に終了通知を送信する、ステップと、
（ｂ）前記発話の音声データを前記端末装置へと配信する、ステップと、
を実行させることを特徴とする。
【００１５】
更に、上記目的を達成するため、本発明の一側面における第２のプログラムは、話者の発話の要約筆記を行う筆記者が使用するコンピュータに、
（ａ）前記発話の音声データを前記コンピュータに配信する配信装置から、前記筆記者に割り当てられた割当時間の開始前に開始前通知が送信され、前記割当時間の開始時に開始通知が送信され、前記割当時間の終了時に終了通知が送信される場合に、
配信されてきた前記音声データを再生し、前記開始前通知の受信から前記開始通知の受信までの間において、再生音量を消音状態とする、ステップと、
（ｂ）前記開始前通知の受信、前記開始通知の受信、及び前記終了通知の受信を前記筆記者に知らせる、ステップと、
を実行させることを特徴とする。
【発明の効果】
【００１６】
以上のように、本発明によれば、リアルタイムでの要約筆記において、視覚障がい者であっても筆記者として参画できるようにすることができる。
【図面の簡単な説明】
【００１７】
【図１】図１は、本発明の実施の形態における要約筆記支援システムの全体構成を示す概略図である。
【図２】図２は、本発明の実施の形態における要約筆記支援システムの構成を具体的に示すブロック図である。
【図３】図３は、図２に示す音声解析部、割当制御部及び通知送信部での処理を模式的に示す図である。
【図４】図４は、本発明の実施の形態における要約筆記支援システムの動作を示すフロー図である。
【図５】図５は、本発明の実施の形態における配信装置又は筆記者端末を実現するコンピュータの一例を示すブロック図である。
【発明を実施するための形態】
【００１８】
（実施の形態）
以下、本発明の実施の形態における、要約筆記支援システム、配信装置、端末装置、要約筆記支援方法、及びプログラムについて、図１〜図５を参照しながら説明する。
【００１９】
［システム構成］
最初に、図１を用いて本実施の形態における要約筆記支援システム、配信装置、及び端末装置の構成について説明する。図１は、本発明の実施の形態における要約筆記支援システムの全体構成を示す概略図である。
【００２０】
図１に示す本実施の形態における要約筆記支援システム４０は、授業、講演等の講師である話者４１の発話の要約筆記を支援するためのシステムである。図１に示すように、要約筆記支援システム４０は、要約筆記を行う筆記者４２が使用する筆記者の端末装置（以下「筆記者端末」と表記する）２０と、話者４１の音声の音声データを配信する配信装置１０とを備えている。また、要約筆記支援システム４０には、要約筆記の利用者４３の端末装置（以下「利用者端末」と表記する。）３０も備えられている。
【００２１】
また、図１に示すように、配信装置１０には、音声入力装置５０が接続されている。音声入力装置５０は、例えばマイク等であり、話者の音声を音声データに変換し、得られた音声データを配信装置１０に入力する。
【００２２】
配信装置１０は、通知送信部１１と、音声配信部１２とを備えている。通知送信部１１は、筆記者端末２０に対して、その筆記者端末２０の筆記者４２に割り当てられた割当時間の開始前に開始前通知を送信し、割当時間の開始時に開始通知を送信し、割当時間の終了時に終了通知を送信する。音声配信部１２は、発話の音声データを筆記者端末２０へと配信する。
【００２３】
図１に示すように、各筆記者端末２０は、音声再生部２１と、報知部２２とを備えている。音声再生部２１は、配信装置１０から送信されてきた音声データを再生し、そして、開始前通知の受信から前記開始通知の受信までの間において、再生音量を消音状態とする。また、報知部２２は、開始前通知の受信、開始通知の受信、及び終了通知の受信を筆記者４２に音によって知らせる。
【００２４】
そして、後述するように、筆記者が、筆記者端末２０において、開始通知の受信から終了通知の受信までの間に、再生された話者の発話を聞きながら、要約筆記の結果として文字列を入力すると、筆記者端末２０は、文字列から得られたテキストデータを配信装置１０に送信する。その後、配信装置１０が、各筆記者端末２０から送信されてきたテキストデータを、利用者端末３０に送信すると、各筆記者によって行なわれた要約筆記の結果が利用者４３に提示される。
【００２５】
このように、本実施の形態では、筆記者端末２０において、開始前、開始時、終了時において音によって通知がなされ、更に、割当時間の開始前から開始までの間、話者の音声の再生音が消された状態となる。このため、筆記者は、視覚障がいを持っていても、割当時間の開始前に、確実に要約筆記の準備を行なうことができる。また、筆記者は、話者の音声を確実に聞き取ることができるようになるので、端末装置の音と話者の音声とがまぎれて、発話の内容を理解できなくなる事態は回避される。よって、本実施の形態によれば、リアルタイムでの要約筆記において、視覚障がい者であっても筆記者として参画することが可能になる。
【００２６】
ここで、図２を用いて本実施の形態における要約筆記支援システム４０の構成について更に具体的に説明する。図２は、本発明の実施の形態における要約筆記支援システムの構成を具体的に示すブロック図である。
【００２７】
［システム構成：配信装置］
まず、配信装置１０の構成について具体的に説明する。図２に示すように、本実施の形態では、配信装置１０は、通知送信部１１及び音声配信部１２に加えて、更に、音声解析部１３と、割当制御部１４と、テキスト受信部１５と、テキスト送信部１６とを備えている。
【００２８】
テキスト受信部１５は、後述するように、筆記者端末２０から要約筆記結果としてテキストデータが送信されると、これを受信する。また、テキスト送信部１６は、各筆記者端末２０から受信したテキストデータを利用者端末３０に送信する。
【００２９】
また、音声解析部１３は、発話の音声、つまり入力された音声データから無音区間を特定する。具体的には、音声解析部１３は、音声認識エンジンを利用して、入力された音声データから、無音区間を特定し、特定した無音区間の開始点と終点とを割当制御部１４に出力する。
【００３０】
割当制御部１４は、筆記者に割り当てられた割当時間毎に、無音区間が、各割当時間の終点を基準とした設定範囲内に存在するかどうかを判定する。そして、割当制御部１１は、無音区間が設定範囲内に存在すると判定する場合は、その割当時間の終点を無音区間に基づいて変更する。更に、割当制御部１４は、割当時間毎に、各割当時間についての開始前通知の送信タイミングを、その割当時間の前の割当時間の終点を基準に、設定時間遡った時点に設定する。
【００３１】
また、本実施の形態においては、音声解析部１３は、特定した無音区間のうち、長さが閾値以下の無音区間を更に特定し、この長さが閾値以下の無音区間についてのみ開始点と終点とを割当制御部１４に出力することもできる。これは、例えば、１秒以下の無音区間は、話者において息継ぎを行っている区間に該当することが多く、話の切れ目としやすいからである。また、この場合、割当制御部１４は、長さが閾値以下の無音区間を用いて、割当制御を実行する。
【００３２】
ここで、図３を用いて、音声解析部１３、割当制御部１４及び通知送信部１１の機能について更に具体的に説明する。図３は、図２に示す音声解析部、割当制御部及び通知送信部での処理を模式的に示す図である。
【００３３】
図３に示すように、音声解析部１３は、発話音声６１の音声データが入力されると、音声認識エンジンを利用して、これを、音声区間６２−１〜６２−３と無音区間６３−１〜６３−４とに分解する。そして、音声解析部１３は、無音区間６３−１〜６３−４を特定する情報（無音区間の開始点と終点）を、割当制御部１４に出力する。
【００３４】
割当制御部１４は、音声解析部１３からの情報に基づいて、無音区間６３−１〜６３−４を特定する。そして、割当制御部１４は、筆記者Ａに割り当てられる割当時間７１と、無音区間６３−１〜６３−４とを比較する。そして、割当制御部１４は、各無音区間が、割当時間７１の終点７１ｂを基準とした範囲内に存在しているかどうかを判定する。具体的には、割当制御部１４は、各無音区間が、終点７１ｂの前に設定される前指定区間８１と後に設定される後指定区間８２とを合せた区間内に存在しているかどうかを判定する。
【００３５】
図３の例では、無音区間６３−２が、前指定区間８１と後指定区間８２とを合わせた区間内に存在しているので、割当制御部１４は、割当時間７１を無音区間６３−２（終点）で区切り、割当時間７２とする。
【００３６】
また、これに併せて、割当制御部１４は、筆記者Ｂに割り当てる割当時間７３についての開始前通知の送信タイミングを、筆記者Ａに割り当てる変更後の割当時間７２の終点７２ｂを基準に、設定時間８３の分だけ遡った時点に決定する。
【００３７】
その後、割当制御部１４は、割当時間毎に、開始前通知の送信タイミング、開始点、及び終点を、通知送信部１１に出力する。通知送信部１１は、出力されてきた情報に基づいて、筆記者端末２０に対して各通知を送信する。
【００３８】
［システム構成：筆記者端末］
続いて、筆記者端末２０の構成について具体的に説明する。図２に示すように、筆記者端末２０は、音声再生部２１及び報知部２２に加えて、更に、データ受信部２３と、テキスト読上部２４と、テキスト入力部２５と、テキスト送信部２６とを備えている。また、筆記者端末２０には、スピーカ等の音声出力装置６０と、マウス、キーボード、タッチパネル等の入力装置７０とが接続されている。なお、図２の例では、便宜上、一方の筆記者端末を「筆記者端末Ａ」とし、他方の筆記者端末を「筆記者端末Ｂ」とする。
【００３９】
まず、データ受信部２３は、配信装置１０から、音声データ、開始前通知、開始通知、終了通知を受信する。そして、データ受信部２３が音声データを音声再生部２１に出力すると、音声再生部２１は、音声データを再生し、音声出力装置６０に音声を出力させる。また、データ受信部２３が、開始前通知、開始通知、及び終了通知を、報知部２２に出力すると、報知部２２は、通知毎に設定された通知音を、音声出力装置６０に出力させる。
【００４０】
また、開始通知の受信後に、筆記者が、再生された話者の発話を聞きながら、要約筆記を行ない、入力装置７０を介して文字列を入力すると、テキスト入力部２５は、入力された文字列を受け付け、これをテキストデータに変換する。また、テキスト入力部２５は、テキストデータを、テキスト読上部２４に入力する。
【００４１】
テキスト読上部２４は、視覚障がいを持った筆記者を補助するため、テキストデータの入力を受けると、終了通知の受信から一定時間が経過するまでの間において、このテキストデータを合成音声によって読み上げる。この場合の音声も、音声出力装置６０から出力される。
【００４２】
そして、本実施の形態では、音声再生部２１は、テキストデータの読み上げに連動して、終了通知の受信から一定時間が経過するまでの間においても、再生音量を消音状態とすることができる。これは、入力されたテキストの読上音声と、話者の音声とが紛れてしまって、筆記者がテキストを確認できなくなる事態の発生を回避するためである。なお、この場合の消音状態とされる一定時間は、配信装置１０の管理者によって、割当時間の長さ等に基づいて適宜設定され、各端末装置２０に通知される。
【００４３】
その後、テキスト送信部２６は、開始通知の受信から終了通知の受信までの間に入力されたテキストデータを、配信装置１０に送信する。
【００４４】
また、上述した筆記者端末２０及び利用者端末３０は、プログラムをコンピュータに実行させることによって構築できる。この場合、コンピュータとしては、パーソナルコンピュータ、更には、スマートフォン、タブレット型端末も挙げられる。
【００４５】
［システム構成：利用者端末］
続いて、利用者端末３０の構成について具体的に説明する。図２に示すように、利用者端末３０は、テキスト受信部３１と、表示部３２とを備えている。
【００４６】
テキスト受信部３１は、配信装置１０のテキスト送信部１６から送信されてきたテキストデータを、受信し、これを表示部３２に入力する。表示部３２は、入力されたテキストデータから、文字列表示用の画像データを生成し、画像データを、液晶表示装置等の表示装置８０に出力する。これにより、表示装置８０の画面には、要約筆記の結果となる文字列が表示される。
【００４７】
［システム動作］
次に、本実施の形態における要約筆記支援システム４０の動作について図４を用いて説明する。図４は、本発明の実施の形態における要約筆記支援システムの動作を示すフロー図である。以下の説明においては、適宜図１〜図３を参酌する。また、本実施の形態では、要約筆記支援システム４０を動作させることによって、要約筆記支援方法が実施される。よって、本実施の形態における要約筆記支援方法の説明は、以下の要約筆記支援システム４０の動作説明に代える。
【００４８】
まず、前提として、授業、講演等が開始され、音声入力装置５０によって、話者の発話の音声データが連続して配信装置１０に入力される。そして、配信装置１０において、音声配信部１２は、音声データを各筆記者端末２０に配信する。また、音声解析部１３は、音声データから無音区間の特定し、特定した無音区間の開始点と終点とを割当制御部１４に出力する。割当制御部１４は、割当時間の始点及び終点と、開始前通知の送信タイミングとを設定し、設定した情報を、通知送信部１２に入力する。
【００４９】
図４に示すように、配信装置１０において、通知送信部１２は、筆記者端末Ａの筆記者に割当てられた割当時間について、開始前通知の送信タイミングとなると、筆記者端末Ａに、開始前通知を送信する（ステップＳ１０１）。
【００５０】
ステップＳ１０１が実行されると、筆記者端末Ａでは、報知部２２は、音によって開始前通知の受信を報知する。また、音声再生部２１は、後述するステップＳ１０２が実行されるまで、再生している音声データの音量を、消音状態とする（ステップＳ２０１）。また、筆記者端末Ａでは、筆記者は、必要な操作を行ないながら、要約筆記のための準備、例えば、キーボードの位置確認等を行なう。
【００５１】
次に、配信装置１０において、通知送信部１２は、筆記者端末Ａの筆記者に割当てられた割当時間の開始タイミング（始点）となると、筆記者端末Ａに、開始通知を送信する（ステップＳ１０２）。
【００５２】
ステップＳ１０２が実行されると、筆記者端末Ａでは、報知部２２は、音によって開始通知の受信を報知する。また、テキスト入力部２５は、筆記者が入力装置７０を用いて入力した文字列を受け取り、これをテキストデータに変換する（ステップＳ２０２）。また、テキスト入力部２５は、変換したテキストデータをテキスト読上部２４に入力する。
【００５３】
次に、配信装置１０において、通知送信部１２は、ステップＳ１０２の実行後に、筆記者端末Ｂの筆記者に割当てられた割当時間の開始前通知の送信タイミングとなると、筆記者端末Ｂに、開始前通知を送信する（ステップＳ１０３）。筆記者端末Ｂでは、報知部２２は、音によって開始前通知の受信を報知する。また、音声再生部２１は、後述するステップＳ１０６が実行されるまで、再生している音声データの音量を、消音状態とする（ステップＳ３０１）。
【００５４】
次に、配信装置１０において、通知送信部１２は、筆記者端末Ａの筆記者に割当てられた割当時間の終了タイミング（終点）となると、筆記者端末Ａに、終了通知を送信する（ステップＳ１０４）。
【００５５】
また、ステップＳ１０４が実行されると、筆記者端末Ａでは、報知部２２は、音によって終了通知の受信を報知する。そして、音声再生部２１は、ステップＳ２０１と同様に、再生している音声データの音量を一定時間が経過するまで消音状態とする（ステップＳ２０３）。
【００５６】
次に、筆記者端末Ａでは、テキスト読上部２４は、ステップＳ２０２で入力されたテキストデータの読み上げを実行する（ステップＳ２０４）。このとき、筆記者は、テキストデータの修正及び追加を行なうことができる。そして、テキスト送信部２６は、筆記者がテキストの送信を指示すると、テキストデータを配信装置１０に送信する（ステップＳ２０５）。
【００５７】
ステップＳ２０５が実行されると、配信装置１０では、テキスト受信部１５が、筆記者端末Ａから送信されてきたテキストデータを受信し、テキスト送信部１６が、受信したテキストデータを利用者端末３０に送信する（ステップＳ１０５）。これにより、利用者端末３０では、筆記者端末Ａで入力された文字列が表示装置８０の画面上に表示される（ステップＳ４０１）。
【００５８】
また、配信装置１０において、通知送信部１２は、ステップＳ１０３の実行後に、筆記者端末Ｂの筆記者に割当てられた割当時間の開始タイミング（始点）となると、筆記者端末Ｂに、開始通知を送信する（ステップＳ１０６）。なお、図４の例では、ステップＳ１０６は、ステップＳ１０５の後に実行されているが、本実施の形態では、ステップＳ１０６の実行タイミングは、これに限定されない。ステップＳ１０６の実行タイミングは、割当時間の設定された始点によって決定される。
【００５９】
ステップＳ１０６が実行されると、筆記者端末Ｂでは、報知部２２は、音によって開始通知の受信を報知する。また、テキスト入力部２５は、筆記者が入力装置７０を用いて入力した文字列を受け取り、これをテキストデータに変換する（ステップＳ３０２）。また、テキスト入力部２５は、変換したテキストデータをテキスト読上部２４に入力する。
【００６０】
次に、配信装置１０において、通知送信部１２は、ステップＳ１０６の実行後に、筆記者端末Ａの筆記者に割当てられた割当時間の開始前通知の送信タイミングとなると、再度ステップＳ１０１を実行し、筆記者端末Ａに、開始前通知を送信する。その後、通知送信部１２は、筆記者端末Ａに対して、再度、上述したステップＳ１０２お及びＳ１０４を再度実行する。
【００６１】
次に、配信装置１０において、通知送信部１２は、ステップＳ１０６の実行後に、筆記者端末Ｂの筆記者に割当てられた割当時間の終了タイミング（終点）となると、筆記者端末Ｂに、終了通知を送信する（ステップＳ１０８）。
【００６２】
また、ステップＳ１０８が実行されると、報知部２２は、音によって終了通知の受信を報知する。そして、筆記者端末Ｂでは、音声再生部２１は、ステップＳ３０１と同様に、再生している音声データの音量を一定時間が経過するまで消音状態とする（ステップＳ３０３）。
【００６３】
次に、筆記者端末Ｂでは、テキスト読上部２４は、ステップＳ３０２で入力されたテキストデータの読み上げを実行する（ステップＳ３０４）。このときも、筆記者は、テキストデータの修正及び追加を行なうことができる。そして、テキスト送信部２６は、筆記者がテキストの送信を指示すると、テキストデータを配信装置１０に送信する（ステップＳ３０５）。
【００６４】
ステップＳ３０５が実行されると、配信装置１０では、テキスト受信部１５が、筆記者端末Ｂから送信されてきたテキストデータを受信し、テキスト送信部１６が、受信したテキストデータを利用者端末３０に送信する（ステップＳ１０８）。これにより、利用者端末３０では、筆記者端末Ｂで入力された文字列が表示装置８０の画面上に表示される（ステップＳ４０２）。
【００６５】
上述したステップＳ１０１〜Ｓ１０８、ステップＳ２０１〜Ｓ２０５、ステップＳ３０１〜Ｓ３０５、ステップＳ４０１及びＳ４０２は、要約筆記の対象となる授業、講演等が終了するまで行なわれる。
【００６６】
［実施の形態における効果］
以上のように本実施の形態では、割当時間の開始前から開始まで、割当時間の終了からの一定時間の間、筆記者端末２０において、音声が消音とされ、端末装置の操作に必要な音声及び入力内容の確認のための音声と、話者の音声とがまぎれないようになっている。このため、本実施の形態によれば、視覚障がい者であっても、要約筆記の筆記者として従事することができる。
【００６７】
［変形例］
上述した例では、筆記者端末２０において、テキスト読上部２４は、終了通知の受信から一定期間が経過するまでの間において、テキストデータの読み上げを実行しているが、本実施の形態はこの例に限定されるものではない。本実施の形態は、例えば、テキスト読上部２４が、データ受信部２３で受信された音声データから無音区間を特定し、特定した無音区間において、入力されたテキストデータを読み上げる態様であっても良い。
【００６８】
本実施の形態においては、筆記者及び利用者とは別に、要約筆記の内容を構成する査閲者が参加することもできる。この場合、要約筆記支援システム４０には、査閲者が使用する端末装置が接続され、配信装置１０は、テキストデータを、この査閲者が使用する端末装置に送信する。その後、テキストデータは、査閲者が使用する端末装置をから、利用者端末３０へと送信される。
【００６９】
［プログラム］
本実施の形態における第１のプログラムは、コンピュータに、図４に示すステップＳ１０１〜Ｓ１０８を実行させるプログラムであれば良い。このプログラムをコンピュータにインストールし、実行することによって、本実施の形態における配信装置１０を実現することができる。この場合、コンピュータのＣＰＵ（Central Processing Unit）は、通知送信部１１、音声配信部１２、音声解析部１３、割当制御部１４、テキスト受信部１５、及びテキスト送信部１６として機能し、処理を行なう。
【００７０】
また、本実施の形態における第２のプログラムは、コンピュータに、図４に示すステップＳ２０１〜Ｓ２０５、又はＳ３０１〜Ｓ３０５を実行させるプログラムであれば良い。このプログラムをコンピュータにインストールし、実行することによって、本実施の形態における端末装置２０を実現することができる。この場合、コンピュータのＣＰＵは、音声再生部２１、報知部２２、データ受信部２３、テキスト読上部２４、テキスト入力部２５、及びテキスト送信部２６として機能し、処理を行なう。
【００７１】
ここで、本実施の形態における第１のプログラムを実行することによって配信装置１０を実現するコンピュータ、及び本実施の形態における第２のプログラムを実行することによって筆記者端末２０を実現するコンピュータについて、図５を用いて説明する。図５は、本発明の実施の形態における配信装置又は筆記者端末を実現するコンピュータの一例を示すブロック図である。
【００７２】
図５に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００７３】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００７４】
また、記憶装置１１３の具体例としては、ハードディスクの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００７５】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００７６】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【実施例】
【００７７】
続いて、本発明の実施例について具体的に説明する。また、以下の説明は、図４に示した各ステップに沿って行なうこととする。
【００７８】
まず、配信装置５０において、通知送信部１２は、筆記者端末Ａに、割当時間の開始５秒前に開始前通知を送信する（ステップＳ１０１）。また、筆記者端末Ａでは、報知部２２は、ブザーによって開始前通知の受信を報知する。そして、音声再生部２１は、５秒間、再生している音声データの音量を、消音状態とする（ステップＳ２０１）。
【００７９】
そして、配信装置１０において、通知送信部１２は、ステップＳ１０１の５秒後に、筆記者端末Ａに、開始通知を送信する（ステップＳ１０２）。なお、本実施例では、各筆記者に割当てられる割当時間は原則として１０秒であるが、無音期間に応じて割当時間は変更される。
【００８０】
ステップＳ１０２の実行後、筆記者端末Ａでは、報知部２２は、ブザーによって開始通知の受信を報知する。また、テキスト入力部２５は、終了が通知されるまで（例えば、１０秒間）、筆記者が入力した文字列を受け取り、テキストデータに変換する（ステップＳ２０２）。また、筆記者端末Ａで要約筆記が行なわれている間に、配信装置１０の通知送信部１２は、筆記者端末Ｂに、開始前通知を送信する（ステップＳ１０３）。筆記者端末Ｂでは、報知部２２は、ブザーによって開始前通知の受信を報知する。音声再生部２１は、５秒間、再生している音声データの音量を、消音状態とする（ステップＳ３０１）。
【００８１】
次に、配信装置１０において、通知送信部１２は、ステップＳ１０２の開始通知の送信後に割当時間の終点となると（例えば１０秒後）に、筆記者端末Ａに、終了通知を送信する（ステップＳ１０４）。
【００８２】
また、ステップＳ１０４が実行されると、筆記者端末Ａでは、報知部２２は、ブザーによって終了通知の受信を報知する。そして、音声再生部２１は、再生している音声データの音量を５秒間消音状態とする（ステップＳ２０３）。この５秒間の間に、テキスト読上部２４は、入力されたテキストデータの読み上げを実行する（ステップＳ２０４）。そして、テキスト送信部２６は、筆記者がテキストの送信を指示すると、テキストデータを配信装置１０に送信する（ステップＳ２０５）。
【００８３】
ステップＳ２０５が実行されると、配信装置１０では、テキスト受信部１５が、筆記者端末Ａから送信されてきたテキストデータを受信し、テキスト送信部１６が、受信したテキストデータを利用者端末３０に送信する（ステップＳ１０５）。これにより、利用者端末３０では、筆記者端末Ａで入力された文字列が表示装置８０の画面上に表示される（ステップＳ４０１）。
【００８４】
また、配信装置１０において、通知送信部１２は、ステップＳ１０３の実行から５秒後に、筆記者端末Ｂに、開始通知を送信する（ステップＳ１０６）。なお、本実施例では、ステップＳ１０４とＳ１０６とは同時に実行される。
【００８５】
ステップＳ１０６が実行されると、筆記者端末Ｂでは、報知部２２は、ブザーによって開始通知の受信を報知する。そして、テキスト入力部２５は、筆記者が入力した文字列をテキストデータに変換し（ステップＳ３０２）、変換したテキストデータをテキスト読上部２４に入力する。
【００８６】
また、配信装置１０の通知送信部１２は、ステップＳ１０６の実行後に、筆記者端末Ｂの割当期間の終点から５秒間遡ったタイミングで、再度ステップＳ１０１を実行し、筆記者端末Ａに開始前通知を送信する。その後、通知送信部１２は、筆記者端末Ａに対して、再度、上述したステップＳ１０２お及びＳ１０４を再度実行する。
【００８７】
次に、配信装置１０において、通知送信部１２は、ステップＳ１０６の実行後に、筆記者端末Ｂにおける割当時間の終了タイミング（終点）となると、筆記者端末Ｂに、終了通知を送信する（ステップＳ１０８）。
【００８８】
また、ステップＳ１０８が実行されると、筆記者端末Ｂでは、報知部２２は、ブザーによって終了通知の受信を報知する。そして、音声再生部２１は、ステップＳ３０１と同様に、再生している音声データの音量を５秒間消音状態とする（ステップＳ３０３）。
【００８９】
次に、筆記者端末Ｂでは、テキスト読上部２４は、５秒間の間に、入力されたテキストデータの読み上げを実行する（ステップＳ３０４）。そして、テキスト送信部２６は、筆記者がテキストの送信を指示すると、テキストデータを配信装置１０に送信する（ステップＳ３０５）。
【００９０】
ステップＳ３０５が実行されると、配信装置１０では、テキスト受信部１５が、筆記者端末Ｂから送信されてきたテキストデータを受信し、テキスト送信部１６が、受信したテキストデータを利用者端末３０に送信する（ステップＳ１０８）。これにより、利用者端末３０では、筆記者端末Ｂで入力された文字列が表示装置８０の画面上に表示される（ステップＳ４０２）。
【００９１】
以上のように、本実施例では、割当時間の開始前から開始まで、割当時間の終了からの一定時間の間、筆記者端末２０において、音声が消音とされ、端末装置の操作に必要な音声及び入力内容の確認のための音声と、話者の音声とがまぎれないようになっている。本実施例によれば、リアルタイムでの要約筆記において、視覚障がい者であっても筆記者として参画することができる。
【００９２】
上述した実施の形態の一部又は全部は、以下に記載する（付記１）〜（付記１２）によって表現することができるが、以下の記載に限定されるものではない。
【００９３】
（付記１）
話者の発話の要約筆記を支援するためのシステムであって、
前記要約筆記を行う筆記者が使用する端末装置と、配信装置とを備え、
前記配信装置は、
前記端末装置に対して、当該端末装置を使用する筆記者に割り当てられた割当時間の開始前に開始前通知を送信し、前記割当時間の開始時に開始通知を送信し、前記割当時間の終了時に終了通知を送信する、通知送信部と、
前記発話の音声データを前記端末装置へと配信する、音声配信部と、
を備え、
前記端末装置は、
配信されてきた前記音声データを再生し、そして、前記開始前通知の受信から前記開始通知の受信までの間において、再生時の音量を消音状態とする、音声再生部と、
前記開始前通知の受信、前記開始通知の受信、及び前記終了通知の受信を前記筆記者に音によって知らせる、報知部と、
を備えている、
ことを特徴とする要約筆記支援システム。
【００９４】
（付記２）
前記端末装置において、前記音声再生部が、前記終了通知の受信から一定時間が経過するまでの間において、更に、再生音量を消音状態とし、
前記端末装置が、前記開始通知の受信後に入力されたテキストデータを、前記終了通知の受信から一定時間が経過するまでの間において、合成音声によって読み上げる、テキスト読上部を、更に備えている、付記１に記載の要約筆記支援システム。
【００９５】
（付記３）
前記配信装置が、
前記発話の音声から無音区間を特定する、音声解析部と、
前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、割当制御部と、
を更に備えている、
付記１または２に記載の要約筆記支援システム。
【００９６】
（付記４）
前記割当制御部が、前記割当時間毎に、当該割当時間についての前記開始前通知の送信タイミングを、当該割当時間の前の割当時間の終点を基準に、設定時間遡った時点に設定する、
付記１〜３のいずれかに記載の要約筆記支援システム。
【００９７】
（付記５）
話者の発話の要約筆記を行う筆記者が使用する端末装置に、前記発話の音声データを送信するための装置であって、
前記端末装置に対して、当該端末装置を使用する筆記者に割り当てられた割当時間の開始前に開始前通知を送信し、前記割当時間の開始時に開始通知を送信し、前記割当時間の終了時に終了通知を送信する、通知送信部と、
前記発話の音声データを前記端末装置へと配信する、音声配信部と、
を備えている、ことを特徴とする配信装置。
【００９８】
（付記６）
話者の発話の要約筆記を行う筆記者が使用する端末装置であって、
前記発話の音声データを当該端末装置に配信する配信装置から、前記筆記者に割り当てられた割当時間の開始前に開始前通知が送信され、前記割当時間の開始時に開始通知が送信され、前記割当時間の終了時に終了通知が送信される場合に、
配信されてきた前記音声データを再生し、そして、前記開始前通知の受信から前記開始通知の受信までの間において、再生音量を消音状態とする、音声再生部と、
前記開始前通知の受信、前記開始通知の受信、及び前記終了通知の受信を前記筆記者に知らせる、報知部と、
を備えている、ことを特徴とする端末装置。
【００９９】
（付記７）
話者の発話の要約筆記を支援するための方法であって、
（ａ）配信装置によって、要約筆記を行う筆記者が使用する端末装置に対して、当該端末装置を使用する筆記者に割り当てられた割当時間の開始前に開始前通知を送信し、前記割当時間の開始時に開始通知を送信し、前記割当時間の終了時に終了通知を送信する、ステップと、
（ｂ）前記配信装置によって、前記発話の音声データを前記端末装置へと配信する、ステップと、
（ｃ）前記端末装置によって、配信されてきた前記音声データを再生し、そして、前記開始前通知の受信から前記開始通知の受信までの間において、再生時の音量を消音状態とする、ステップと、
（ｄ）前記端末装置によって、前記開始前通知の受信、前記開始通知の受信、及び前記終了通知の受信を前記筆記者に音によって知らせる、ステップと、
を有する、
ことを特徴とする要約筆記支援方法。
【０１００】
（付記８）
（ｅ）前記端末装置によって、前記終了通知の受信から一定時間が経過するまでの間において、更に、再生音量を消音状態とする、ステップと、
（ｆ）前記端末装置によって、前記開始通知の受信後に入力されたテキストデータを、前記終了通知の受信から一定時間が経過するまでの間において、合成音声によって読み上げる、ステップと、
を更に有する付記７に記載の要約筆記支援方法。
【０１０１】
（付記９）
（ｇ）前記配信装置によって、前記発話の音声から無音区間を特定する、ステップと、
（ｈ）前記配信装置によって、前記要約筆記を行う筆記者に割り当てられた割当時間毎に、前記無音区間が、当該割当時間の終点を基準とした範囲内に存在するかどうかを判定し、前記無音区間が前記範囲内に存在すると判定する場合に当該割当時間の終点を前記無音区間に基づいて変更する、ステップと、
を更に有する、付記７または８に記載の要約筆記支援方法。
【０１０２】
（付記１０）
（ｉ）前記配信装置によって、前記割当時間毎に、当該割当時間についての前記開始前通知の送信タイミングを、当該割当時間の前の割当時間の終点を基準に、設定時間遡った時点に設定する、ステップを更に有する、
付記７〜９のいずれかに記載の要約筆記支援方法。
【０１０３】
（付記１１）
話者の発話の要約筆記を行う筆記者が使用する端末装置に、コンピュータによって、前記発話の音声データを送信するためのプログラムであって、
前記コンピュータに、
（ａ）前記端末装置に対して、当該端末装置を使用する筆記者に割り当てられた割当時間の開始前に開始前通知を送信し、前記割当時間の開始時に開始通知を送信し、前記割当時間の終了時に終了通知を送信する、ステップと、
（ｂ）前記発話の音声データを前記端末装置へと配信する、ステップと、
を実行させるプログラム。
【０１０４】
（付記１２）
話者の発話の要約筆記を行う筆記者が使用するコンピュータに、
（ａ）前記発話の音声データを前記コンピュータに配信する配信装置から、前記筆記者に割り当てられた割当時間の開始前に開始前通知が送信され、前記割当時間の開始時に開始通知が送信され、前記割当時間の終了時に終了通知が送信される場合に、
配信されてきた前記音声データを再生し、前記開始前通知の受信から前記開始通知の受信までの間において、再生音量を消音状態とする、ステップと、
（ｂ）前記開始前通知の受信、前記開始通知の受信、及び前記終了通知の受信を前記筆記者に知らせる、ステップと、
を実行させるプログラム。
【産業上の利用可能性】
【０１０５】
以上のように、本発明によれば、リアルタイムでの要約筆記において、視覚障がい者であっても筆記者として参画できるようにすることができる。本発明は、要約筆記が必要な分野であれば、学校等における授業に限られず、種々の講演等にも有用である。
【符号の説明】
【０１０６】
１０  配信装置
１１  通知送信部
１２  音声配信部
１３  音声解析部
１４  割当制御部
１５  テキスト受信部
１６  テキスト送信部
２０  筆記者端末
２１  音声再生部
２２  報知部
２３  データ受信部
２４  テキスト読上部
２５  テキスト入力部
２６  テキスト送信部
３０  利用者端末
３１  テキスト受信部
３２  表示部
４０  要約筆記支援システム
４１  話者
４２  筆記者
４３  利用者
５０  音声入力装置
６０  音声出力装置
７０  入力装置
８０  表示装置
１００  配信装置  
２００  支援者端末装置
３００  利用者端末装置
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2014202981.tif 000003
【図２】
2014202981.tif 000004
【図３】
2014202981.tif 000005
【図４】
2014202981.tif 000006
【図５】
2014202981.tif 000007